(57)【要約】【課題】枠部の色展開に影響されることなくセンサ性能を確保できる照明器具を提供する。【解決手段】照明器具１０は、天井施工面に直接取り付けられる器具本体と、器具本体の中央位置に配置されるランプと、器具本体の外周縁部に取り付けられる枠部１４と、枠部１４に配置される明るさセンサユニット１５と、内面に傾斜面３３を有して枠部１４に形成された開口部２３の内側に延出する延出部３１を設けて枠部１４の裏面と明るさセンサユニット１５とにより挟まれる挟持板部１７を有する検知角度規定部品１６とを備える。【選択図】図５
2011210466.tif 000002
【特許請求の範囲】
【請求項１】
天井施工面に直接取り付けられる器具本体と、
前記器具本体の中央位置に配置されるランプと、
前記器具本体の外周縁部に取り付けられる枠部と、
前記枠部に配置される明るさセンサユニットと、
内面に傾斜面を有して前記枠部に形成された開口部の内側に延出する延出部を設けて前記枠部の裏面と前記明るさセンサユニットとにより挟まれる挟持板部を有する検知角度規定部品とを備える照明器具。
【請求項２】
請求項１に記載の照明器具において、
前記検知角度規定部品は、前記挟持板部の前記傾斜面が少なくとも光吸収面である照明器具。
【請求項３】
請求項１または請求項２に記載の照明器具において、
前記検知角度規定部品がケース状をなし、前記明るさセンサユニットを内蔵して前記挟持板部の前記延出部が前記枠部の前記開口部の内側に延出する照明器具。
【発明の詳細な説明】
【技術分野】
【０００１】
本発明は、天井施工面に直接取り付けられる照明器具に関し、特に室内の明るさを検知して室内の明るさを調整する照明器具に関する。
【背景技術】
【０００２】
従来より器具本体にランプを保持した照明器具がある（例えば、特許文献１参照）。
【先行技術文献】
【特許文献】
【０００３】
【特許文献１】特開２００９−１７６６５８号公報（図１、請求項１）
【発明の概要】
【発明が解決しようとする課題】
【０００４】
上記特許文献１に記載された照明器具は、器具本体に、熱伝導性のよい材料で形成されたランプ支持バネを備え、そのランプ支持バネによりランプを保持することにより、薄型化を図ることができる。
ところで、このような照明器具において、明るさセンサを装備することにより、外光からの明るさの増加に応じて点灯状態を連続的に可変させて余分な消費電力を適切に抑制するとともに省エネルギー化を図り、環境負荷を少なくすることができる照明器具が提案されている。
このような従来の照明器具においては、器具本体の外周縁部に設けられる枠部に明るさセンサが配置されている。そして、明るさセンサのセンサユニットに内蔵されるセンサ部が、蛍光灯の光の入射を避けるように配置されているために、明るさセンサに対して蛍光灯からの光の直接入射を軽減することができる。このため、センサユニットが外郭ケースに内蔵されており、外郭ケースが枠部に配置され、器具本体の縁部に設けられた枠部から外部に露出した形態となっている。
【０００５】
一方、近年の需要に応じて照明器具の枠部の色展開には様々なものがある。しかし、器具本体の外周縁部に設けられている枠部に配置されて外郭ケースに内蔵されるセンサユニットは、センサユニットの外郭ケースが枠部から外部に露出するために、外郭ケースと枠部の色が異なるものとなって意匠面での展開に違和感を生ずることがある。
また、枠部の色展開に合わせて、センサユニットの外郭ケースを作成しようとすると、多種の色の外郭ケースを用意することになる。そして、色展開が複数あると外郭ケースに形成される開口部も外郭ケースと同色になる為、この開口部からセンサユニット内のセンサ部へ入力される光が外郭ケースの開口部の色の反射に影響されて検知範囲の照度が同じ光の量であってもセンサ部の検出する光の量が変わってしまい、センサ部を共用化する回路設計が困難になる。
したがって、従来の照明器具においては、枠部の色展開の影響を受けてセンシング性能に障害を生ずる虞がある。
【０００６】
本発明は、前述した課題を解決するためになされたものであり、その目的は、枠部の色展開に影響されることなくセンサ性能を確保できる照明器具を提供することにある。
【課題を解決するための手段】
【０００７】
本発明に係る照明器具は、天井施工面に直接取り付けられる器具本体と、器具本体の中央位置に配置されるランプと、器具本体の外周縁部に取り付けられる枠部と、枠部に配置される明るさセンサユニットと、内面に傾斜面を有して枠部に形成された開口部の内側に延出する延出部を設けて枠部の裏面と明るさセンサユニットとにより挟まれる挟持板部を有する検知角度規定部品とを備える。
【０００８】
本発明に係る照明器具は、検知角度規定部品は、挟持板部の傾斜面が少なくとも光吸収面である。
【０００９】
本発明に係る照明器具は、検知角度規定部品がケース状をなし、明るさセンサユニットを内蔵して挟持板部の延出部が枠部の開口部の内側に延出する。
【発明の効果】
【００１０】
本発明の照明器具によれば、枠部の色展開に影響されることなくセンサ性能を確保できるという効果を奏する。
【図面の簡単な説明】
【００１１】
【図１】本発明に係る一実施形態の照明器具の一部破断側面図
【図２】図１の照明器具の底面図
【図３】図１の照明器具に適用される検知角度規定部品の斜め下方から視た外観斜視図
【図４】図３の検知角度規定部品に内蔵される挟持板部の斜め下方から視た外観斜視図
【図５】図３の検知角度規定部品の垂直断面図
【図６】図１の照明器具における枠部の斜め下方から視た一部破断外観斜視図
【図７】図５の枠部に取り付けられている検知角度規定部品の斜め下方から視た外観斜視図
【発明を実施するための形態】
【００１２】
以下、本発明の一実施形態に係る照明器具について図面を参照して説明する。
本発明の一実施形態である照明器具１０は、器具本体１１と、器具本体１１に取り付けられる例えば二重渦巻き状のランプ１２と、ランプ１２を覆って器具本体１１に取り付けられるグローブ１３と、器具本体１１の外縁部に取り付けられている枠部１４と、枠部１４に取り付けられている明るさセンサユニット１５と、挟持板部１７を有する検知角度規定部品１６とを備えて、器具本体１１が天井施工面１に直接取り付けられる。
【００１３】
図１、図２に示すように、器具本体１１は薄板鋼板材を用いて円板形状に形成されている。器具本体１１の下面には、ランプ１２に電気的に接続されてランプ１２を器具本体１１に支持するための複数のソケット１８と、外部からの電力を変換するための点灯回路１９と、グローブ１３を回し止めするための複数の受具２０とが取り付けられている。
【００１４】
グローブ１３は、例えば乳白色の樹脂製板部材により略半球形状に形成されており、上部の開放部分に取付部２１を有する。グローブ１３は器具本体１１の下方側から取付部２１を器具本体１１の受具２０の外周部に挿し込んだ後に、予め定められた角度で回動されることにより受具２０に支持されて器具本体１１に取り付けられる。
【００１５】
枠部１４は、器具本体１１と同様の金属材料を用いて円環形状に形成されており、器具本体１１の外縁部に固定されている。枠部１４は底板２２を有し、底板２２に丸い貫通孔形状の開口部２３と補助孔２４とが形成されている。枠部１４には、開口部２３を介して底板２２上に明るさセンサユニット１５が配置されている。明るさセンサユニット１５は、ランプ１２の不図示の点灯回路に電気的に接続されており、照明器具１０が設置された部屋内の照度を常時検知している。そして、明るさセンサユニット１５は、昼間に部屋内に外光が入射されて部屋内が予め定められた照度を超えて明るくなった際にランプ１２を自動的に暗く点灯させ、これとは異なり、部屋内に外光が入射されなくなって部屋内が予め定められた照度を超えて暗くなった際にランプ１２を自動的に明るく点灯させる。
【００１６】
次に、検知角度規定部品１６について説明する。
図３、図４に示すように、検知角度規定部品１６は、上方を開放したケース形状をなすセンサ収容ケース２５と、センサ収容ケース２５内に収容される挟持板部１７とを備える。センサ収容ケース２５は、側板２６の底部の底板２７に延出部挿入用開口部２８と、補助孔２９とが並べて配置されている。側板２６には、枠部１４への取付用の取付孔３０が形成されている。センサ収容ケース２５には、側板２６と底板２７とにより囲まれた内側に明るさセンサユニット１５が収容されている。
【００１７】
挟持板部１７は、板形状に形成されており、センサ収容ケース２５の底部において底板２７上に組付けられる。挟持板部１７には、下方に向けて円筒形状に突出する貫通孔状の延出部３１が形成されているとともに、センサ収容ケース２５の補助孔２９に対応した連通孔３２が形成されている。延出部３１には、その内周面に上方から下方に向けて拡径状の傾斜面３３が形成されており、この傾斜面３３は、例えば黒艶消し塗装等の光吸収面３４になっている。
【００１８】
図５に示すように、検知角度規定部品１６は、センサ収容ケース２５の底板２７上に挟持板部１７が組み込まれ、挟持板部１７上に明るさセンサユニット１５が組付けられる。これにより、挟持板部１７の延出部３１がセンサ収容ケース２５の底板２７の延出部挿入用開口部２８から下方へ向けて突出される。そして、挟持板部１７の延出部３１の傾斜面３３が明るさセンサユニット１５に有する不図示のセンサ部に対応して組付けられる。
【００１９】
図６、図７に示すように、枠部１４に取り付けられた検知角度規定部品１６は、枠部１４の底板２２に有する開口部２３から挟持板部１７の延出部３１が下方へ向けて延出される。これにより、明るさセンサユニット１５は、延出部３１に有する傾斜面３３の傾斜範囲に相当する角度（図１参照）αのセンシング範囲を有する。そして、枠部１４の補助孔２４は、センサ収容ケース２５の補助孔２４と挟持板部１７の連通孔３２とを通じて明るさセンサユニット１５に有する不図示のセンサ感度調整部等に連通される。
【００２０】
照明器具１０は、不図示のリモコン送信機等からの電気信号により点灯回路が駆動されてランプ１２が点灯される。昼間に部屋内に外光が入射されて部屋内が予め定められた照度を超えて明るくなると、明るさセンサユニット１５から点灯回路に電気信号が与えられてランプ１２が自動的に暗く点灯される。これとは異なり、夕方等に部屋内に外光が入射されなくなって部屋内が予め定められた照度を超えて暗くなると、明るさセンサユニット１５から点灯回路に電気信号が与えられてランプ１２が自動的に明るく点灯されることになる。
【００２１】
従って、この一実施形態の照明器具１０においては、枠部１４において明るさセンサユニット１５が挟持板部１７の延出部３１に有する傾斜面３３を介して明るさを検知する。
これにより、この一実施形態の照明器具１０においては、ランプ１２からの直接光に影響されることなく安定した検知値を明るさセンサユニット１５へ転送させることができるとともに、枠部１４の色展開に影響されることなく明るさセンサユニット１５のセンサ性能を確保できる。
【００２２】
また、この一実施形態の照明器具１０においては、検知角度規定部品１６の傾斜面３３が光吸収可能な例えば黒艶消し等の光吸収面３４である。
これにより、この一実施形態の照明器具１０においては、傾斜面３３に反射して明るさセンサユニット１５に入力される光を含まない真正な光量のみを明るさセンサユニット１５で検知することができる。
【００２３】
そして、この一実施形態の照明器具１０においては、枠部１４の開口部２３から挟持板部１７の延出部３１が独立して延出されている。
これにより、この一実施形態の照明器具１０においては、枠部１４の色展開において、枠部１４が例えば透明になったとしても、明るさセンサユニット１５が、ランプ１２からの直接光に影響されることがないとともに傾斜面３３による反射光に影響されることなく安定したセンシングを行うことができる。
【００２４】
なお、各実施形態で使用した器具本体１１、ランプ１２、グローブ１３、枠部１４等は例示したものに限定するものではなく適宜変更が可能である。
【符号の説明】
【００２５】
１  天井施工面
１０  照明器具
１１  器具本体
１２  ランプ
１３  グローブ
１４  枠部
１５  明るさセンサユニット
１６  検知角度規定部品
１７  挟持板部
２３  開口部
３１  延出部
３３  傾斜面
３４  光吸収面
【図１】
2011210466.tif 000003
【図２】
2011210466.tif 000004
【図３】
2011210466.tif 000005
【図４】
2011210466.tif 000006
【図５】
2011210466.tif 000007
【図６】
2011210466.tif 000008
【図７】
2011210466.tif 000009